(57)【要約】【課題】被検査対象の検査項目の検査順序が固定の場合と比較して、被検査対象の検査時間を短縮することができる。【解決手段】検査システム１０は、被検査対象を検査するための複数の検査プログラムを記憶する記憶手段と、少なくとも検査項目及び検査順序が設定された検査設定情報を受信する受信手段と、前記検査順序に従って、前記検査項目に対応した前記検査プログラムを実行する実行手段と、前記実行手段により実行された前記検査項目の検査結果を送信する検査結果送信手段と、を備えた検査装置と、前記検査設定情報を前記検査装置に送信する検査設定情報送信手段と、前記検査装置から送信された前記検査結果を集計する集計手段と、前記集計手段による集計結果に基づいて、不良率が高い順に前記検査項目の前記検査順序を並べ替える並べ替え手段と、を備えた外部装置１４と、を備える。【選択図】図１
2013124973.tif 000002
【特許請求の範囲】
【請求項１】
被検査対象を検査するための複数の検査プログラムを記憶する記憶手段と、少なくとも検査項目及び検査順序が設定された検査設定情報を受信する受信手段と、前記検査順序に従って、前記検査項目に対応した前記検査プログラムを実行する実行手段と、前記実行手段により実行された前記検査項目の検査結果を送信する検査結果送信手段と、を備えた検査装置と、
前記検査設定情報を前記検査装置に送信する検査設定情報送信手段と、前記検査装置から送信された前記検査結果を集計する集計手段と、前記集計手段による集計結果に基づいて、不良率が高い順に前記検査項目の前記検査順序を並べ替える並べ替え手段と、を備えた検査情報集計装置と、
を備えた検査システム。
【請求項２】
前記並べ替え手段は、前記被検査対象を再検査する場合、前回の検査で検査不良が発生した検査項目から検査が実行されるように、前記検査順序を並べ替える
請求項１記載の検査システム。
【請求項３】
１つの前記検査情報集計装置に対して、複数の前記検査装置を備えた
請求項１又は請求項２記載の検査システム。
【請求項４】
被検査対象を検査するための複数の検査プログラムを記憶する記憶手段と、少なくとも検査項目及び検査順序が設定された検査設定情報を受信する受信手段と、前記検査順序に従って、前記検査項目に対応した検査プログラムを実行する実行手段と、前記実行手段により実行された検査項目の検査結果を送信する検査結果送信手段と、を備えた検査装置に対して、前記検査設定情報を送信する検査設定情報送信手段と、
前記検査装置から送信された、前記検査項目の検査結果を集計する集計手段と、
前記集計手段による集計結果に基づいて、不良率が高い順に前記検査項目の前記検査順序を並べ替える並べ替え手段と、
を備えた検査情報集計装置。
【請求項５】
コンピュータを、請求項４記載の検査情報集計装置を構成する各手段として機能させるための検査情報集計プログラム。
【発明の詳細な説明】
【技術分野】
【０００１】
本発明は、検査システム、検査情報集計装置、及び検査情報集計プログラムに関する。
【背景技術】
【０００２】
特許文献１には、基板の処理装置を管理する管理システムであって、前記処理装置が設置されている工場側には、前記処理装置で処理された基板を検査する検査装置が設けられ、前記処理装置のベンダー側には、前記検査装置で検査された基板の検査情報をインターネットを介して入手するホストコンピュータが設けられていることを特徴とする、管理システムが記載されている。
【０００３】
特許文献２には、ホストコンピュータと、当該ホストコンピュータにより制御され、それぞれ所定の処理を行う複数の設備と、現工程の設備により所定の処理が行われた製品を検査する検査手段と、を具備する設備管理システムであって、前記各設備は、製品処理中の各設備の状態をモニタするセンサ手段を備え、当該センサ手段により当該設備または前記製品の異常が感知された場合、或いは、前記検査手段により製品検査の結果、当該製品が予め定められた規格幅を逸脱している場合、当該現工程の設備の停止または当該異常状態の通知を行うようにしたことを特徴とする設備管理システムが記載されている。
【先行技術文献】
【特許文献】
【０００４】
【特許文献１】特開２００３−７６０５号公報
【特許文献２】特開平４−３５４６６３号公報
【発明の概要】
【発明が解決しようとする課題】
【０００５】
本発明は、被検査対象の検査項目の検査順序が固定の場合と比較して、被検査対象の検査時間を短縮することができる検査システム、検査情報集計装置、及び検査情報集計プログラムを提供することを目的とする。
【課題を解決するための手段】
【０００６】
上記目的を達成するために、請求項１記載の発明の検査システムは、被検査対象を検査するための複数の検査プログラムを記憶する記憶手段と、少なくとも検査項目及び検査順序が設定された検査設定情報を受信する受信手段と、前記検査順序に従って、前記検査項目に対応した前記検査プログラムを実行する実行手段と、前記実行手段により実行された前記検査項目の検査結果を送信する検査結果送信手段と、を備えた検査装置と、前記検査設定情報を前記検査装置に送信する検査設定情報送信手段と、前記検査装置から送信された前記検査結果を集計する集計手段と、前記集計手段による集計結果に基づいて、不良率が高い順に前記検査項目の前記検査順序を並べ替える並べ替え手段と、を備えた検査情報集計装置と、を備える。
【０００７】
請求項２記載の発明は、前記並べ替え手段は、前記被検査対象を再検査する場合、前回の検査で検査不良が発生した検査項目から検査が実行されるように、前記検査順序を並べ替える。
【０００８】
請求項３記載の発明は、１つの前記検査情報集計装置に対して、複数の前記検査装置を備える。
【０００９】
請求項４記載の発明の検査情報集計装置は、被検査対象を検査するための複数の検査プログラムを記憶する記憶手段と、少なくとも検査項目及び検査順序が設定された検査設定情報を受信する受信手段と、前記検査順序に従って、前記検査項目に対応した検査プログラムを実行する実行手段と、前記実行手段により実行された検査項目の検査結果を送信する検査結果送信手段と、を備えた検査装置に対して、前記検査設定情報を送信する検査設定情報送信手段と、前記検査装置から送信された、前記検査項目の検査結果を集計する集計手段と、前記集計手段による集計結果に基づいて、不良率が高い順に前記検査項目の前記検査順序を並べ替える並べ替え手段と、を備える。
【００１０】
請求項５記載の発明の検査情報集計プログラムは、コンピュータを、請求項４記載の検査情報集計装置を構成する各手段として機能させる。
【発明の効果】
【００１１】
請求項１、４、５記載の発明によれば、被検査対象の検査項目の検査順序が固定の場合と比較して、被検査対象の検査時間を短縮することができる、という効果を有する。
【００１２】
請求項２記載の発明によれば、被検査対象を再検査する場合に、最初から検査を開始する場合と比較して、被検査対象の再検査時間を短縮することができる、という効果を有する。
【００１３】
請求項３記載の発明によれば、複数の検査装置の各々に対して検査情報集計装置を各々設けた場合と比較して、検査結果の集計効率を向上させることができる、という効果を有する。
【図面の簡単な説明】
【００１４】
【図１】検査システムの構成図である。
【図２】検査装置の概略構成図である。
【図３】検査装置の不揮発性メモリの記憶内容を示す図である。
【図４】外部装置の概略構成図である。
【図５】検査装置で実行される処理のフローチャートである。
【図６】外部装置で実行される処理のフローチャートである。
【発明を実施するための形態】
【００１５】
以下、本発明の実施形態について説明する。
【００１６】
〔検査システム〕
【００１７】
図１には、本実施形態に係る検査システム１０の概略構成を例示した。同図に示すように、検査システム１０は、複数の検査装置１２及び検査情報集計装置としての外部装置１４がネットワーク１６を介して相互に接続された構成となっている。
【００１８】
（検査装置）
【００１９】
図２には、検査装置１２の概略構成を例示した。同図に示すように、検査装置１２は、コンピュータ１８を含んで構成されている。
【００２０】
コンピュータ１８は、実行手段としてのＣＰＵ（Ｃｅｎｔｒａｌ  Ｐｒｏｃｅｓｓｉｎｇ  Ｕｎｉｔ）１８Ａ、ＲＯＭ（Ｒｅａｄ  Ｏｎｌｙ  Ｍｅｍｏｒｙ）１８Ｂ、ＲＡＭ（Ｒａｎｄｏｍ  Ａｃｃｅｓｓ  Ｍｅｍｏｒｙ）１８Ｃ、不揮発性メモリ１８Ｄ、及び入出力インターフェース（Ｉ／Ｏ）１８Ｅがバス１８Ｆを介して各々接続された構成となっている。
【００２１】
Ｉ／Ｏ１８Ｅには、検査に関する操作を行うための操作ボタン等を含んで構成された操作部２０、検査に関する表示を行う液晶ディスプレイ等で構成された表示部２２、ネットワーク１６を介して外部装置１４とデータ通信するための受信手段および検査結果送信手段としてのネットワーク通信インターフェース（Ｉ／Ｆ）２４、及び被検査対象Ｆと接続するための接続インターフェース（Ｉ／Ｆ）２６等が接続されている。
【００２２】
なお、本実施形態では、被検査対象Ｆは、例えば画像形成装置等の電子機器の制御を司る制御回路が搭載されたプリント配線基板等とされるが、被検査対象Ｆの種類はこれに限られるものではない。
【００２３】
記憶手段としての不揮発性メモリ１８Ｄは、例えば記憶内容を書き換え可能なＥＥＰＲＯＭ等で構成される。この不揮発性メモリ１８Ｄには、図３に示すように、後述する制御プログラムＰ０や、被検査対象Ｆを検査するための複数の検査プログラムＰ１、Ｐ２、Ｐ３・・・が予め記憶されている。この複数の検査プログラムの各々は、例えば検査項目１に対応した検査プログラムＰ１、検査項目２に対応した検査プログラムＰ２、・・・といったように、被検査対象Ｆの検査項目毎に設けられている。また、被検査対象Ｆが複数種類ある場合には、被検査対象Ｆの種類毎に、複数の検査項目に対応した複数の検査プログラムが各々記憶される。
【００２４】
（検査情報集計装置）
【００２５】
図４には、検査情報集計装置としての外部装置１４の概略構成を例示した。同図に示すように、外部装置１４は、コンピュータ４０を含んで構成され、例えば一般のパーソナルコンピュータが用いられる。
【００２６】
コンピュータ４０は、ＣＰＵ４０Ａ、ＲＯＭ４０Ｂ、ＲＡＭ４０Ｃ、不揮発性メモリ４０Ｄ、及び入出力インターフェース（Ｉ／Ｏ）４０Ｅがバス４０Ｆを介して各々接続された構成となっている。
【００２７】
Ｉ／Ｏ４０Ｅには、キーボードやマウス等を含んで構成された操作部４２、液晶ディスプレイ等で構成された表示部４４、ネットワーク１６を介して検査装置１２とデータ通信するための検査設定情報送信手段としてのネットワーク通信インターフェース（Ｉ／Ｆ）４６、及び後述する制御プログラムや、被検査対象Ｆの検査結果情報等の各種情報を記憶するためのハードディスク４８等が接続されている。
【００２８】
なお、後述する制御プログラムは、本実施形態では一例としてハードディスク４８に予め記憶され、ＣＰＵ４０Ａがこの予め記憶されたプログラムを読み込むことにより実行される。また、ＣＤ−ＲＯＭ等の記録媒体にプログラムを記録し、これをＣＤ−ＲＯＭドライブ等で読み込むことにより実行するようにしてもよい。
【００２９】
〔検査システムの動作〕
【００３０】
次に、本実施形態の作用として、検査装置１２及び外部装置１４で実行される処理について、フローチャートを参照して説明する。
【００３１】
（検査装置の動作）
【００３２】
まず、検査装置１２で実行される処理について、図５に示すフローチャートを参照して説明する。なお、図５に示す処理は、作業者が被検査対象Ｆを検査装置１２の接続Ｉ／Ｆ２６に接続し、操作部２０を操作して被検査対象Ｆの検査の開始を指示することで、ＣＰＵ１８Ａが不揮発性メモリ１８Ｄに記憶された制御プログラムＰ０を読み込むことにより実行される。より具体的には、被検査対象Ｆが電子部品が搭載（実装）されたプリント配線基板であるとした場合、作業者が例えば特願２０１１−１７５９７９等に記載された基板検査装置（インサーキットテスタ、ファンクションテスタ等）にプリント配線基板をセットすると、プリント配線基板の電子部品の半田フィレット等にプローブピンが接触する。基板検査装置のプローブピンは接続Ｉ／Ｆ２６を介して検査装置１２に電気的に接続されているので、作業者が検査装置１２の操作部２０を操作して検査を開始（制御プログラムＰ０を実行）すると、検査装置１２は、電子部品の動作チェック等を行う。
【００３３】
図５に示すように、ステップ１００では、被検査対象Ｆの識別符号をネットワーク通信Ｉ／Ｆ２４からネットワーク１６を介して外部装置１４に送信する。被検査対象Ｆの識別符号は、一例として被検査対象Ｆの種類（機種名）及びシリアルＮｏを表す数字及び記号の少なくとも一つを含む識別符号である。なお、シリアルＮｏは、被検査対象Ｆ毎に固有の番号が付与される。
【００３４】
識別符号は、例えば被検査対象Ｆに搭載された制御回路内に予め記憶されている場合には、当該制御回路に対して被検査対象Ｆの識別符号を要求する要求信号を送信することにより、当該制御回路から取得される。
【００３５】
なお、被検査対象Ｆに識別符号が印字されている場合には、印字された識別符号を図示しない読取手段によって読み取ることにより取得するようにしてもよい。
【００３６】
ステップ１０２では、少なくとも検査項目及び検査順序が設定された検査設定情報を外部装置１４からネットワーク１６、ネットワーク通信Ｉ／Ｆ２４を介して受信したか否かを判断し、検査設定情報を受信した場合にはステップ１０２へ移行し、検査設定情報を受信していない場合には、検査設定情報を受信するまで待機する。なお、外部装置１４で実行される具体的な処理については後述する。
【００３７】
ステップ１０４では、検査設定情報により設定された検査順序に基づいて、現在の検査順序の検査項目に対応した検査プログラムを不揮発性メモリ１８Ｄから読み出してＣＰＵ１８Ａで実行する。検査プログラムは、被検査対象Ｆがプリント配線基板であれば、例えばプリント配線基板に搭載された回路の電源電圧をチェックするプログラムや、信号の送受信に誤りがないかをチェックするプログラム、配線が断線していないかをチェックするプログラム、電子部品が正常に動作することをチェックするプログラム等があるが、検査プログラムの種類はこれらに限られるものではない。
【００３８】
ステップ１０６では、実行した検査プログラムの検査結果が検査不良であったか否かを判断し、検査不良でなかった場合にはステップ１０８へ移行し、検査不良だった場合には、ステップ１１０へ移行する。
【００３９】
ステップ１０８では、検査設定情報で設定された全ての検査プログラムの実行が終了したか否かを判断し、全ての検査プログラムの実行が終了した場合にはステップ１１０へ移行し、全ての検査プログラムの実行が終了していない場合には、ステップ１０４へ戻って上記と同様の処理を繰り返す。
【００４０】
ステップ１１０では、実行した検査項目の検査結果を被検査対象Ｆの識別符号と共にネットワーク通信Ｉ／Ｆ２４からネットワーク１６を介して外部装置１４へ送信する。
【００４１】
（検査情報集計装置の動作）
【００４２】
次に、検査情報集計装置としての外部装置１４で実行される処理について、図６に示すフローチャートを参照して説明する。なお、図６に示す処理は、作業者が操作部４２を操作して検査の開始を指示することで、ＣＰＵ４０Ａがハードディスク４８に記憶された制御プログラムを読み込むことにより実行される。
【００４３】
ステップ２００では、外部装置１４が検査装置１２からネットワーク１６およびネットワーク通信Ｉ／Ｆ４６を介して被検査対象Ｆの識別符号を受信したか否かを判断する。外部装置１４が被検査対象Ｆの識別符号を受信した場合にはステップ２０２へ移行し、被検査対象Ｆの識別符号を受信していない場合には、被検査対象Ｆの識別符号を受信するまで待機する。
【００４４】
ステップ２０２では、受信した識別符号に係る被検査対象Ｆの前回の検査結果がハードディスク４８に記憶されているか否かを判断する。これは、換言すれば、受信した識別符号に係る被検査対象Ｆの前回の検査において検査不良が発生した検査項目があり、今回が再検査であるか否かを判断することと等価といえる。
【００４５】
そして、前回の検査結果がハードディスク４８に記憶されており、今回が再検査である場合には、ステップ２０４へ移行し、今回が再検査でない場合、すなわち、初めての検査である場合には、ステップ２０６へ移行する。
【００４６】
ステップ２０４では、前回の検査結果で不良が発生した検査項目を最初の検査項目として検査順序を設定し（並べ替え手段）、当該検査項目および検査順序を含む検査設定情報を検査装置１２へ送信する。例えば、検査項目が１０個あり、検査項目１〜１０の順序で前回の検査が実行された場合において、検査項目３で不良が発生していた場合には、検査項目３を最初の検査項目とし、検査項目３〜１０の検査順序を設定した検査設定情報を検査装置１２へ送信する。これにより、前回の検査で不良が発見されなかった検査項目１、２の検査は省略され、検査項目３から検査が実行される。
【００４７】
一方、ステップ２０６では、ＣＰＵ４０Ａにより後述するステップ２１０（集計手段）での検査結果の集計結果から算出された不良率の高い順に検査順序を設定し（並べ替え手段）、当該検査項目および検査順序を含む検査設定情報をネットワーク通信Ｉ／Ｆ４６からネットワーク１６を介して検査装置１２へ送信する。例えば、ステップ２１０の検査結果の集計結果から、各検査項目の不良率（ＮＧの発生率）が、検査項目５（８％）、３（５％）、２（３％）、１（１％）、６〜１０（０％）の順に高かった場合には、この順序を検査順序として設定した検査設定情報を検査装置１２へ送信する。なお、全ての検査項目のうち、検査内容によっては検査項目の検査順序が固定されている場合もあるので、そのような場合には、固定された順序は変更しないように検査順序を設定する。例えば、上記の例で、各検査項目の不良率が、検査項目５、３、２、１、６〜１０の順に高いが、検査項目１〜３は、この順序で検査を行うことが予め定められている場合には、検査項目１〜３をその検査順序を固定した１つの検査項目のように取り扱い、検査順序を検査項目５、１、２、３、６〜１０の順とする。この場合、検査項目１〜３を１つの検査項目として取り扱う場合の不良率は、検査項目１〜３の最大不良率とする。つまり、上記の例では、検査項目３の不良率（５％）が最大であるから、検査項目１〜３の不良率は５％として取り扱う。
【００４８】
ステップ２０８では、被検査対象Ｆの各検査項目の検査結果をネットワーク１６、ネットワーク通信Ｉ／Ｆ４６を介して受信したか否かを判断し、検査結果を受信した場合にはステップ２１０へ移行し、検査結果を受信していない場合には、検査結果を受信するまで待機する。
【００４９】
ステップ２１０では、ネットワーク１６、ネットワーク通信Ｉ／Ｆ４６を介して受信した検査結果を識別符号と関連付けてハードディスク４８に記憶すると共に、ＣＰＵ４０Ａにより今回受診した検査結果と過去の検査結果とに基づいて機種名毎に複数のシリアルＮｏの被検査対象Ｆの検査結果を集計する（集計手段）。例えば、各検査項目の現在から過去の予め定めた期間における不良率や、各検査項目の検査時間の平均値等を集計してハードディスク４８に記憶する。
【００５０】
ステップ２１２では、集計した検査結果を表示部４４に表示する。例えば、１日当たりの不良率等をパレート図にして表示部４４に表示したりする。
【００５１】
ステップ２１４では、作業者が操作部４２を操作して検査終了を指示したか否かを判断し、検査終了が指示された場合には、本ルーチンを終了し、検査終了が指示されていない場合には、ステップ２００へ戻って上記と同様の処理を繰り返す。
【００５２】
このように、本実施形態では、過去の検査結果の集計結果に基づいて算出された検査の不良率が高い順に、検査項目の検査順序を並べ替えた検査設定情報を検査装置１２へ送信して被検査対象Ｆの検査を実行させる。すなわち、不良が発生しやすい検査項目から順に検査を実行する。これにより、検査不良を発見するまでの時間が短縮され、全体の検査時間が短縮される。
【００５３】
また、前回の検査で不良が発生し、再検査する場合には、前回の検査で不良が発見されなかった検査項目は省略して、前回の検査で不良が発生した検査項目から検査を実行するので、最初の検査項目から検査をやり直す場合と比較して、再検査の検査時間が短縮される。特に、接触不良等のように、解析や修理が短時間で済むような検査不良の場合は、再検査時には、検査不良が発生した検査項目から検査を実行することにより、再検査の検査時間がより短縮される。なお、例えば配線の断線等のように、修理が長時間かかるような検査不良の場合には、再検査時には、前回の検査で不良が発生した検査項目から検査を実行するのではなく、最初の検査項目から検査を実行するようにしてもよい。
【００５４】
なお、本実施形態で説明した検査装置１２及び外部装置１４の構成（図２、３参照）は一例であり、本発明の主旨を逸脱しない範囲内において不要な部分を削除したり、新たな部分を追加したりしてもよいことは言うまでもない。
【００５５】
例えば、本実施形態では、１台の外部装置１４に対して複数の検査装置１２を用いたものを示したが、検査装置１２は１台であっても良い。
【００５６】
また、本記実施形態で説明した制御プログラムの処理の流れ（図４、５参照）も一例であり、本発明の主旨を逸脱しない範囲内において不要なステップを削除したり、新たなステップを追加したり、処理順序を入れ替えたりしてもよいことは言うまでもない。
【符号の説明】
【００５７】
１０  検査システム
１２  検査装置
１４  外部装置（検査情報集計装置）
１６  ネットワーク
１８  コンピュータ
１８Ｄ      不揮発性メモリ
２０  操作部
２２  表示部
４０  コンピュータ
４２  操作部
４４  表示部
４８  ハードディスク
【図１】
2013124973.tif 000003
【図２】
2013124973.tif 000004
【図３】
2013124973.tif 000005
【図４】
2013124973.tif 000006
【図５】
2013124973.tif 000007
【図６】
2013124973.tif 000008
【手続補正書】
【提出日】平成24年4月13日(2012.4.13)
【手続補正１】
【補正対象書類名】明細書
【補正対象項目名】０００６
【補正方法】変更
【補正の内容】
【０００６】
上記目的を達成するために、請求項１記載の発明の検査システムは、複数の被検査対象を検査するための複数の検査プログラムを記憶する記憶手段と、少なくとも検査項目及び検査順序が設定された検査設定情報を受信する受信手段と、前記検査順序に従って、前記検査項目に対応した前記検査プログラムを実行する実行手段と、前記実行手段により実行された前記検査項目の検査結果を送信する検査結果送信手段と、を備えた検査装置と、
前記検査装置から送信された前記検査結果を集計する集計手段と、前記複数の被検査対象のうち初めて検査を実施する被検査対象を検査する場合には、前記集計手段による前記複数の被検査対象のうち既に検査を実施した前記被検査対象の前記検査結果の集計結果に基づいて、不良率が高い順に前記検査項目の前記検査順序を並べ替え、前記複数の被検査対象のうち再検査を実施する前記被検査対象を検査する場合には、前回の検査で検査不良が発生した検査項目の内容に応じて、当該前回の検査で検査不良が発生した検査項目又は最初の検査項目から検査が実行されるように、前記検査順序を並べ替える並べ替え手段と、前記並べ替え手段により並び替えられた前記検査順序が設定された前記検査設定情報を、前記検査装置に送信する検査設定情報送信手段と、を備えた検査情報集計装置と、を備える。
【手続補正２】
【補正対象書類名】明細書
【補正対象項目名】０００７
【補正方法】変更
【補正の内容】
【０００７】
請求項２記載の発明は、前記並べ替え手段は、全ての前記検査項目のうち、前記検査順序が固定されている検査項目がある場合、当該検査項目については、固定された検査順序を変更しないように、前記全ての前記検査項目の検査順序を並べ替える。
【手続補正３】
【補正対象書類名】明細書
【補正対象項目名】０００９
【補正方法】変更
【補正の内容】
【０００９】
請求項４記載の発明の検査情報集計装置は、複数の被検査対象を検査するための複数の検査プログラムを記憶する記憶手段と、少なくとも検査項目及び検査順序が設定された検査設定情報を受信する受信手段と、前記検査順序に従って、前記検査項目に対応した検査プログラムを実行する実行手段と、前記実行手段により実行された検査項目の検査結果を送信する検査結果送信手段と、を備えた検査装置から送信された前記検査結果を集計する集計手段と、
前記複数の被検査対象のうち初めて検査を実施する被検査対象を検査する場合には、前記集計手段による前記複数の被検査対象のうち既に検査を実施した前記被検査対象の前記検査結果の集計結果に基づいて、不良率が高い順に前記検査項目の前記検査順序を並べ替え、前記複数の被検査対象のうち再検査を実施する前記被検査対象を検査する場合には、前回の検査で検査不良が発生した検査項目の内容に応じて、当該前回の検査で検査不良が発生した検査項目又は最初の検査項目から検査が実行されるように、前記検査順序を並べ替える並べ替え手段と、
前記並べ替え手段により並び替えられた前記検査順序が設定された前記検査設定情報を、前記検査装置に送信する検査設定情報送信手段と、を備える。
【手続補正４】
【補正対象書類名】明細書
【補正対象項目名】００１１
【補正方法】変更
【補正の内容】
【００１１】
請求項１、２、４、５記載の発明によれば、被検査対象の検査項目の検査順序が固定の場合と比較して、被検査対象の検査時間を短縮することができる、という効果を有する。
【手続補正５】
【補正対象書類名】明細書
【補正対象項目名】００１２
【補正方法】削除
【補正の内容】
【手続補正６】
【補正対象書類名】特許請求の範囲
【補正対象項目名】全文
【補正方法】変更
【補正の内容】
【特許請求の範囲】
【請求項１】
複数の被検査対象を検査するための複数の検査プログラムを記憶する記憶手段と、少なくとも検査項目及び検査順序が設定された検査設定情報を受信する受信手段と、前記検査順序に従って、前記検査項目に対応した前記検査プログラムを実行する実行手段と、前記実行手段により実行された前記検査項目の検査結果を送信する検査結果送信手段と、を備えた検査装置と、
前記検査装置から送信された前記検査結果を集計する集計手段と、前記複数の被検査対象のうち初めて検査を実施する被検査対象を検査する場合には、前記集計手段による前記複数の被検査対象のうち既に検査を実施した前記被検査対象の前記検査結果の集計結果に基づいて、不良率が高い順に前記検査項目の前記検査順序を並べ替え、前記複数の被検査対象のうち再検査を実施する前記被検査対象を検査する場合には、前回の検査で検査不良が発生した検査項目の内容に応じて、当該前回の検査で検査不良が発生した検査項目又は最初の検査項目から検査が実行されるように、前記検査順序を並べ替える並べ替え手段と、前記並べ替え手段により並び替えられた前記検査順序が設定された前記検査設定情報を、前記検査装置に送信する検査設定情報送信手段と、を備えた検査情報集計装置と、
を備えた検査システム。
【請求項２】
前記並べ替え手段は、全ての前記検査項目のうち、前記検査順序が固定されている検査項目がある場合、当該検査項目については、固定された検査順序を変更しないように、前記全ての前記検査項目の検査順序を並べ替える、請求項１記載の検査システム。
【請求項３】
１つの前記検査情報集計装置に対して、複数の前記検査装置を備えた
請求項１又は請求項２記載の検査システム。
【請求項４】
複数の被検査対象を検査するための複数の検査プログラムを記憶する記憶手段と、少なくとも検査項目及び検査順序が設定された検査設定情報を受信する受信手段と、前記検査順序に従って、前記検査項目に対応した検査プログラムを実行する実行手段と、前記実行手段により実行された検査項目の検査結果を送信する検査結果送信手段と、を備えた検査装置から送信された前記検査結果を集計する集計手段と、
前記複数の被検査対象のうち初めて検査を実施する被検査対象を検査する場合には、前記集計手段による前記複数の被検査対象のうち既に検査を実施した前記被検査対象の前記検査結果の集計結果に基づいて、不良率が高い順に前記検査項目の前記検査順序を並べ替え、前記複数の被検査対象のうち再検査を実施する前記被検査対象を検査する場合には、前回の検査で検査不良が発生した検査項目の内容に応じて、当該前回の検査で検査不良が発生した検査項目又は最初の検査項目から検査が実行されるように、前記検査順序を並べ替える並べ替え手段と、
前記並べ替え手段により並び替えられた前記検査順序が設定された前記検査設定情報を、前記検査装置に送信する検査設定情報送信手段と、
を備えた検査情報集計装置。
【請求項５】
コンピュータを、請求項４記載の検査情報集計装置を構成する各手段として機能させるための検査情報集計プログラム。
以上